(57)【要約】【課題】床やトレーを汚し難く、悪臭が発生し難く、衛生的で、経済的なペット用シーツを提供すること。【解決手段】本発明のペット用シーツ１Ａは、液透過性の表面シート２、液不透過性の裏面シート３、両シート２，３間に配された矩形状２個の吸収体４，４’を備えている。２個の吸収体４，４’は並置されている。２個の吸収体４，４’の間には液不透過性の防漏シート９が配されている。防漏シート９は、その一端９１が２個の吸収体４，４’の内の一方の吸収体４上に配され固定され、その他端９２が裏面シート３に接して固定されて、２個の吸収体４，４’を隔てている。【選択図】図１
2015204799.tif 000002
【特許請求の範囲】
【請求項１】
液透過性の表面シート、液不透過性の裏面シート、両シート間に配された矩形状の２個の吸収体を備えたペット用シーツであって、
２個の前記吸収体は、並置されており、
２個の前記吸収体の間に液不透過性の防漏シートが配されており、
前記防漏シートは、該防漏シートの一端が２個の前記吸収体の内の一方の該吸収体上に配され固定され、該防漏シートの他端が前記裏面シートに接して固定されて、２個の該吸収体を隔てているペット用シーツ。
【請求項２】
前記防漏シートは、該防漏シートの他端が２個の前記吸収体の間に配されている請求項１に記載のペット用シーツ。
【請求項３】
前記防漏シートは、該防漏シートの他端が２個の前記吸収体の内の他方の該吸収体下に配されている請求項１に記載のペット用シーツ。
【請求項４】
前記裏面シートは、並置された２個の吸収体の周囲から延出しており、前記ペット用シーツの長手方向においては、該裏面シートにおける該並置された２個の吸収体の両端から延出した裏面シート延出部分を有しており、
前記表面シートは、並置された２個の吸収体の周囲から延出しており、前記ペット用シーツの長手方向においては、該表面シートにおける該並置された２個の吸収体の両端から延出した表面シート延出部分を有しており、
前記ペット用シーツの長手方向の両端側においては、前記表面シート延出部分と前記裏面シート延出部分とは接合されて、該長手方向外方に延出している請求項１〜３の何れか１項に記載のペット用シーツ。
【請求項５】
少なくとも前記裏面シートは、並置された２個の吸収体の周囲から延出しており、前記ペット用シーツの長手方向においては、該裏面シートにおける該並置された２個の吸収体の両端から延出した裏面シート延出部分が、該吸収体の上面側に巻き上げられている請求項１〜３の何れか１項に記載のペット用シーツ。
【請求項６】
前記表面シートは、前記ペット用シーツの長手方向においては、該並置された２個の吸収体の両端まで延在する一対の表面シート端部を有しており、
前記ペット用シーツの長手方向の両端側においては、前記裏面シート延出部分が、前記吸収体の上面側に巻き上げられて、前記表面シート端部上に配され固定されている請求項５に記載のペット用シーツ。
【請求項７】
前記表面シートは、前記ペット用シーツの長手方向においては、該並置された２個の吸収体の両端まで延在する一対の表面シート端部を有しており、
前記ペット用シーツの長手方向の両端側においては、前記裏面シート延出部分が、前記吸収体の上面側に巻き上げられて、該吸収体と前記表面シート端部との間に配され固定されている請求項５に記載のペット用シーツ。
【請求項８】
前記表面シートは、該並置された２個の吸収体の周囲から延出しており、前記ペット用シーツの長手方向においては、該表面シートにおける該並置された２個の吸収体の両端から延出した表面シート延出部分を有しており、
前記ペット用シーツの長手方向の両端側においては、前記表面シート延出部分と前記裏面シート延出部分とは接合されており、接合された該表面シート延出部分及び該裏面シート延出部分は、前記吸収体の上面側に巻き上げられて、前記表面シート上に配され固定されている請求項５に記載のペット用シーツ。
【請求項９】
前記防漏シートは、着色されている請求項１〜８の何れか１項に記載のペット用シーツ。
【請求項１０】
トイレ本体、及び該トイレ本体内を上層部分と下層部分とに区画する仕切部材を備え、該上層部分に便床を形成する粒状物を収容するペット用トイレに収容されて用いられる請求項１〜９の何れか１項に記載のペット用シーツであって、
前記ペット用シーツは、前記ペット用トイレの前記下層部分に収容されるペット用シーツ。
【請求項１１】
トイレ本体、及び該トイレ本体内を上層部分と下層部分とに区画する仕切部材を備え、該上層部分に便床を形成する粒状物を収容するペット用トイレと、該ペット用トイレに収容されて用いられる請求項１〜９の何れか１項に記載のペット用シーツとを有するペット用トイレシステムであって、
前記ペット用シーツは、前記ペット用トイレの前記下層部分に収容されているペット用トイレシステム。
【請求項１２】
前記仕切部材に、尿誘導部材が形成され、該尿誘導部材は、隣り合う２枚の前記ペット用シーツの何れかに尿を誘導するため、隣り合う２枚の前記ペット用シーツの境界に沿って延在して設けられている請求項１１に記載のペット用トイレシステム。
【発明の詳細な説明】
【技術分野】
【０００１】
本発明は、猫や犬等のペット用シーツ及びそれを用いたペット用トイレシステムに関する。
【背景技術】
【０００２】
従来、犬や猫等のペットを住居内で飼育する際に、ペットが排泄した尿等の排泄物を吸収するためのペット用トイレとして、例えば、ペット用シーツを直接床において簡易的に形成したもの、或いは特許文献１，２に記載されたもの等が挙げられる。特許文献１，２に記載されたペット用トイレは、トイレ本体を簀の子等の液透過性構造を有する仕切部材により上下に区画して、上層部分に耐水性の猫砂等の便床を形成する粒状物を収容し、下層部分のトレーにペット用シーツを配置して使用される。排泄された尿は、上層部分に収容された耐水性の粒状物を通過してペット用シーツに吸収される。
【０００３】
ところで、猫や犬等のペットは、ペット用トイレの便床の一定の場所で排泄する習性があるため、ペット用シーツの一部しか使用されないことがある。そのため、このペット用シーツの前後を入れ替えたりして、汚れていない部分をペットが排尿する場所にくるようにして再使用されることがある。
【０００４】
このようなペット用シーツの再使用により、ペット用シーツにおける尿を吸収していない部分を有効に利用でき、ペット用シーツの使用期間を長くすることができる。特に、特許文献２に記載のペット用トイレは、ペット用シーツを収容するトレーが、トイレ本体の前方から引き出されて取り外され、前後の位置を入れ替えてトイレ本体に収容できるようになっており、ペット用シーツをトレーから取り出すことなく簡単にその前後方向を入れ替えることができ、衛生的に入れ替え作業を行える。
【先行技術文献】
【特許文献】
【０００５】
【特許文献１】特開平１０−２２９７６８号公報
【特許文献２】特開２００７−０００１２４号公報
【発明の概要】
【発明が解決しようとする課題】
【０００６】
しかし、ペット用シーツの片側の一部に尿が吸収されたとしても、尿を吸収した状態で長時間放置されると、見た目上、尿を直接吸収した部分以外の残りの領域は吸収していないようであるが、吸収体内部で尿が拡散してしまい、もはやペット用シーツ本来の十分な吸収性を発揮できないといった問題がある。このような十分な吸収性を発揮できない状態で再使用されると、尿が漏れ出し、床やトレーが汚れてしまい、悪臭が発生し易いという問題があった。さらに、室内で使用されることから衛生的にも不快を感じることになる。
【０００７】
従って、本発明は、前述した従来技術を改良したペット用シーツを提供することにある。
【課題を解決するための手段】
【０００８】
本発明は、液透過性の表面シート、液不透過性の裏面シート、両シート間に配された矩形状の２個の吸収体を備えたペット用シーツであって、２個の前記吸収体は、並置されており、２個の前記吸収体の間に液不透過性の防漏シートが配されており、前記防漏シートは、該防漏シートの一端が２個の前記吸収体の内の一方の該吸収体上に配され固定され、該防漏シートの他端が前記裏面シートに接して固定されて、２個の該吸収体を隔てているペット用シーツを提供するものである。吸収体上とは、吸収体の表面シート側の面をいう。
【０００９】
また、本発明は、トイレ本体、及び該トイレ本体内を上層部分と下層部分とに区画する仕切部材を備え、該上層部分に便床を形成する粒状物を収容するペット用トイレと、該ペット用トイレに収容されて用いられる前記ペット用シーツとを有するペット用トイレシステムであって、前記ペット用シーツは、前記ペット用トイレの前記下層部分に収容されているペット用トイレシステムを提供するものである。
【発明の効果】
【００１０】
本発明によれば、床やトレーを汚し難く、悪臭が発生し難く、衛生的で、経済的である。
【図面の簡単な説明】
【００１１】
【図１】図１は、本発明の第１実施形態のペット用シーツを、表面シート側から見た平面図である。
【図２】図２は、図１に示すＩＩ−ＩＩ線断面図である。
【図３】図３は、図２に示す吸収体の構成を説明するための断面図である。
【図４】図４は、ペット用シーツをペット用トイレに収容したペット用トイレシステムの模式的な分解斜視図である。
【図５】図５は、図４に示すペット用トイレの収容部にペット用シーツを収容した状態を示す斜視図である。
【図６】図６は、図１に示すペット用シーツをペット用トイレに収容したペット用トイレシステムの使用状態における長手方向に沿った断面を模式的に示す断面図である。
【図７】図７は、本発明の第２実施形態のペット用シーツを、表面シート側から見た平面図である（図１相当図）。
【図８】図８は、図７に示すＶＩＩＩ−ＶＩＩＩ線断面図である（図２相当図）。
【図９】図９は、本発明の第３実施形態のペット用シーツの長手方向に沿った断面図である（図２相当図）。
【図１０】図１０（ａ）は本発明の第４実施形態のペット用シーツの長手方向の一端部を示す断面図であり、図１０（ｂ）は本発明の第５実施形態のペット用シーツの長手方向の一端部を示す断面図であり、図１０（ｃ）は本発明の第６実施形態のペット用シーツの長手方向の一端部を示す断面図である。
【図１１】図１１は、他の形態の吸収体の構成を説明するための断面図である（図３相当図）。
【発明を実施するための形態】
【００１２】
以下、本発明のペット用シーツの好ましい第１実施形態について、図１〜図３に基づいて説明する。なお本発明の矩形状は、４辺が等しい正方形も含み、この場合の短手方向は、ペット用シーツの中で分割された吸収体が並列に並んだ方向とする。
第１実施形態のペット用シーツ１Ａ（以下、「シーツ１Ａ」とも言う。）は、液透過性の表面シート２、液不透過性の裏面シート３、及び両シート間に配された矩形状の２個の吸収体４，４’を備えている。そして２個の吸収体４，４’は、並置されており、シーツ１Ａにおいては、Ｘ方向に並置されている。図中のＸ方向は、各吸収体４，４’の短手方向と同じ方向であり、シーツ１Ａの長手方向と同じ方向でもある。図中のＹ方向は、各吸収体４，４’の長手方向と同じ方向であり、シーツ１Ａの短手方向（幅方向）と同じ方向でもある。また、図中のＺ方向は、厚み方向である。
【００１３】
シーツ１Ａは、図１に示すように、平面視して、Ｘ方向に長い長方形状に形成されている。シーツ１Ａは、Ｘ方向の長さが３００ｍｍ〜６００ｍｍ程度に形成されており、Ｙ方向の長さが２００ｍｍ〜５００ｍｍ程度に形成されている。また、シーツ１ＡのＺ方向の厚みは、１．０ｍｍ〜１５ｍｍ程度に形成されている。尚、厚みの測定においては、無加圧状態で、その断面を電子顕微鏡や光学顕微鏡を用いて撮影することにより測定する。
【００１４】
表面シート２は、シーツ１Ａにおいては、図１，図２に示すように、Ｘ方向に長い矩形状に形成されている。表面シート２は、後述するように、Ｘ方向に並置された２個の吸収体４，４’より大きく、並置された２個の吸収体４，４’の周囲から延出している。表面シート２は、シーツ１Ａの長手方向（Ｘ方向）においては、並置された２個の吸収体４，４’の両端それぞれから延出する表面シート延出部分２１，２１を有し、シーツ１Ａの短手方向（Ｙ方向）においては、並置された２個の吸収体４，４’の両端それぞれから延出する短手側表面シート延出部分２３，２３を有している。このように、表面シート２は、吸収体４のＸ方向の両端及び吸収体４のＹ方向の両端から外方に延出した矩形状に形成されている。
【００１５】
表面シート２は、例えば、シーツ１Ａが後述するペット用トイレ１０１に用いられる場合には、飼い主のハンドリング性（シーツ１Ａをペット用トイレ１０１にセットする時や尿吸収後のシーツ１Ａを交換する時、そして丸めて廃棄する時のシート強度）と、液透過性とを考慮した経済的な材料であればよく、一般的な低坪量の液透過性の不織布であればよい。経済性の観点から、表面シート２に用いられる液透過性の不織布は、その坪量が、５０ｇ／ｍ２以下であることが好ましく、３０ｇ／ｍ２以下であることが更に好ましい。前記不織布は、公知の技術によって製造される液透過性の不織布であればよい。
【００１６】
裏面シート３は、図１，図２に示すように、Ｘ方向に長い矩形状に形成されており、表面シート２と同形同大に形成されている。裏面シート３は、Ｘ方向に並置された２個の吸収体４，４’より大きく、並置された２個の吸収体４，４’の周囲から延出している。裏面シート３は、シーツ１Ａの長手方向（Ｘ方向）においては、並置された２個の吸収体４，４’の両端それぞれから延出する裏面シート延出部分３１，３１を有し、シーツ１Ａの短手方向（Ｙ方向）においては、並置された２個の吸収体４，４’の両端それぞれから延出する短手側裏面シート延出部分３３，３３を有している。このように、裏面シート３は、表面シート２と同形同大に形成されており、吸収体４のＸ方向の両端及び吸収体４のＹ方向の両端から外方に延出した矩形状に形成されている。
【００１７】
裏面シート３は、例えば、シーツ１Ａが後述するペット用トイレ１０１に用いられる場合には、前記飼い主のハンドリング性と液不透過性とを考慮すればよく、通常用いられるポリエチレン製等のフィルムであればよい。経済性の観点から、裏面シート３に用いられる液不透過性のフィルムは、その坪量が、４０ｇ／ｍ２以下であることが好ましくは、２５ｇ／ｍ２以下であることが更に好ましい。
【００１８】
２個の吸収体４，４’は、図１，図２に示すように、各吸収体４，４’の短手方向（Ｘ方向）に並置されている。２個の吸収体４，４’は、Ｘ方向に並置された状態で、表面シート２と裏面シート３との間に配されている。各吸収体４，４’は、図１，図２に示すように、Ｙ方向に長い矩形状に形成されている。各吸収体４，４’は、Ｙ方向の長さが１２０ｍｍ〜４３０ｍｍ程度に形成されており、Ｘ方向の長さが８０ｍｍ〜２８０ｍｍ程度に形成されている。また、各吸収体４，４’のＺ方向の厚みは、０．５ｍｍ〜１０ｍｍ程度に形成されている。シーツ１Ａの備える２個の吸収体４，４’どうしの間隔は、１０ｍｍ以上５０ｍｍ以下であることが好ましく、２０ｍｍ以上３０ｍｍ以下であることが更に好ましい。尚、上述したように、吸収体４と吸収体４’とは、同形同大で、構成も全く同じであるが、説明を容易にするために、一方の吸収体を「吸収体４」とし。他方の吸収体を「吸収体４’」として説明する。
【００１９】
各吸収体４，４’は、尿などの液吸収性を有するものであれば、その種類は特に制限されず、例えば高吸収性ポリマー、フラッフパルプ等からなる吸収性コアを、紙（台紙），不織布等からなるコアラップシートで包んだものなどが挙げられる。例えば、フラッフパルプの集合体内に高吸収性ポリマーが分散配置された吸収性コアの全体を、薄い台紙からなるコアラップシートで覆って形成されているものが好適に使用できる。高吸収性ポリマーはフラッフパルプ中に混合された状態で用いられる他、裏面シート３側に散布されたり、層状にして厚み方向中央に挿入されたり、或いは、公知手段によりポリマーシート化するなどの手段で部分的に配置されてもよい。尚、高吸収性ポリマーを含有しない形態であってもよい。シーツ１Ａにおいては、フラッフパルプの集合体のＺ方向中央に、高吸収性ポリマーを層状にして挿入して形成された吸収性コアをコアラップシートで包んだ吸収体４，４’が使用されている。以下、シーツ１Ａの２個の吸収体４，４’について詳述する。
【００２０】
２個の吸収体４，４’は、矩形状の吸収性コア４１をコアラップシート４４で包んで形成された吸収体を別々に用意してもよいが、シーツ１Ａにおいては、図３に示すように、Ｘ方向に長い矩形状の吸収性コア４１をコアラップシート４４で包んで形成された１個の吸収体を、Ｘ方向中央にてカットして分断して２個の吸収体４，４’を形成している。ここで、吸収性コア４１は、フラッフパルプの上層側の集合体４２ｕとフラッフパルプの下層側の集合体４２ｄとの間に、高吸収性ポリマー４３を散布して積層して形成されている。尿の吸収や高吸収性ポリマー４３への尿の移動がスムーズに行われる観点から、上層側の集合体４２ｕの坪量の方が、下層集合体４２ｄの坪量よりも低く形成されていることが好ましい。尚、当初の１個の吸収体は、１個の吸収性コア４１を、Ｙ方向の両端を除いて、全体がコアラップシート４４で被覆されて形成されている。
【００２１】
当初の１個の吸収体に関して詳述すると、コアラップシート４４は、図３に示すように、寸法の異なる上層コアラップシート４４ｕと下層コアラップシート４４ｄとから構成されている。上層コアラップシート４４ｕは、Ｘ方向及びＹ方向の長さが、吸収性コア４１のＸ方向及びＹ方向の長さと略一致するように形成されている。下層コアラップシート４４ｄは、Ｙ方向の長さが、吸収性コア４１のＹ方向の長さと略一致しており、Ｘ方向の長さが吸収性コア４１のＸ方向の長さよりも長く、上層コアラップシート４４ｕよりも幅広に形成されている。そして、上層コアラップシート４４ｕは、吸収性コア４１の上面に対向して配されている。また、下層コアラップシート４４ｄは、吸収性コア４１の下面に対向して配され、１個の吸収性コア４１のＸ方向の両端から延出した部分が、吸収性コア４１の上面を被覆する上層コアラップシート４４ｕの上面上に巻き上げられている。このようにして、シーツ１Ａの当初の１個の吸収体が形成されている。次いで、１個の吸収体のＸ方向中央にて、Ｙ方向に沿って平行にカットして分断し、Ｙ方向に長い矩形状の２個の吸収体４，４’を形成している。このように形成された２個の吸収体４，４’においては、Ｘ方向における分断された側の吸収性コア４１の端部がコアラップシート４４（下層コアラップシート４４ｄ）で被覆されていない。尚、吸収性コア４１には、必要に応じて消臭剤や抗菌剤、香料等を添加することができる。
【００２２】
シーツ１Ａの２個の吸収体４，４’について更に詳述すると、図３に示すように、各吸収体４，４’を構成する吸収性コア４１の上層側の集合体４２ｕは、Ｘ方向における分断された側の端部が、押圧等され、Ｘ方向におけるコアラップシート４４（下層コアラップシート４４ｄ）で被覆された側の端部のＺ方向の厚みに比べて、Ｚ方向の厚みが薄くなっている。具体的には、Ｘ方向に並置された上層側の集合体４２ｕ，４２ｕそれぞれの互いに対向するように配されたＹ方向に沿う側部全域に亘って、各集合体４２ｕのＸ方向の内方端部が、Ｘ方向の内方に向かって、言い換えれば、並置された上層側の集合体４２ｕ，４２ｕの中央に向かって、漸次薄くなっている。
【００２３】
２個の吸収体４，４’の間には、図１，図２に示すように、液不透過性の防漏シート９が配されている。防漏シート９は、該防漏シート９のＸ方向の一端９１が２個の吸収体４，４’の内の一方の吸収体４上に配され固定され、該防漏シート９の他端９２が裏面シート３に接して固定されて、２個の吸収体４，４’を隔てている。シーツ１Ａの防漏シート９は、Ｙ方向に長い矩形状のシートであり、各吸収体４，４’のＹ方向の長さよりも長く、表面シート２及び裏面シート３それぞれのＹ方向の両端間に亘って、Ｙ方向に平行に帯状に延在している。防漏シート９のＸ方向の一端９１は、吸収体４上に配される幅が、好ましくは１０ｍｍ〜５０ｍｍ程度必要で、更に好ましくは１５ｍｍ〜３０ｍｍ程度必要であることから、防漏シート９のＸ方向の長さ（幅）は、２０ｍｍ〜８０ｍｍ程度に形成されていることが好ましく、３０ｍｍ〜５０ｍｍ程度に形成されていることが更に好ましい。尚、防漏シート９のＹ方向の長さは、シーツ１ＡのＹ方向の長さと同じに形成されていることが好ましい。また、吸収体４上とは、吸収体４の表面シート２側の一面をいう。
【００２４】
シーツ１Ａの防漏シート９について詳述すると、図１，図２に示すように、防漏シート９のＸ方向の一端９１が、２個の吸収体４，４’の内の一方の吸収体４と表面シート２との間に配され固定されている。そして、防漏シート９のＸ方向の他端９２が、２個の吸収体４，４’の間に配され、裏面シート３に接して固定されている。このように防漏シート９が配されていることによって、２個の吸収体４，４’が隔てられている。
【００２５】
以上の構成を有するシーツ１Ａは、図１，図２に示すように、Ｘ方向の両端側それぞれにおいて、表面シート延出部分２１と裏面シート延出部分３１とが接合されて、Ｘ方向外方に延出している。詳述すると、表面シート２と吸収体４との間、裏面シート３と吸収体４との間は、ホットメルト接着剤等の接合手段により接合されている。そして、シーツ１ＡのＸ方向の両端側それぞれにおいては、表面シート延出部分２１と裏面シート延出部分３１とが、ホットメルト接着剤等の接合手段により接合されて、サイドフラップ５を形成している。そして、各サイドフラップ５は、Ｘ方向外方に延出している。表面シート延出部分２１と裏面シート延出部分３１とを接合してなるサイドフラップ５は、Ｘ方向の幅が、１０ｍｍ以上４０ｍｍ以下に形成されていることが好ましく、２０ｍｍ以上３０ｍｍ以下に形成されていることが更に好ましい。尚、ホットメルト接着剤の塗布は、線状、面状、ドット状、スパイラル状、或いは霧状等であってもよい。
【００２６】
また、シーツ１ＡのＹ方向の両端側それぞれにおいては、短手側表面シート延出部分２３と短手側裏面シート延出部分３３とが、ホットメルト接着剤等の接合手段により接合され固定されて、フラップを形成している。短手側表面シート延出部分２３と短手側裏面シート延出部分３３とを接合してなる各フラップは、Ｙ方向外方に延出しており、Ｙ方向の幅が、１０ｍｍ以上４０ｍｍ以下に形成されていることが好ましく、２０ｍｍ以上３０ｍｍ以下に形成されていることが更に好ましい。
【００２７】
上述した本発明の第１実施形態のシーツ１Ａを使用した際の作用効果について説明する。
シーツ１Ａは、直接床に置いて使用されたり、或いはペット用トイレ１０１に収容されてペット用トイレシステム１００Ａとして使用される。
【００２８】
先ず、シーツ１Ａを直接床に置いて使用する場合について説明する。
犬や猫等のペットは、いつも決まった場所で排泄する傾向があり、例えば、ペット用シーツ１Ａの備える２個の吸収体４，４’の内の一方の吸収体４の所定の場所に排尿する習慣となっている場合、シーツ１Ａにおいては２個の吸収体４，４’が防漏シート９で隔てられているので、一方の吸収体４で吸収された尿は、防漏シート９を越えて他方の吸収体４’へ移行することができない。また、例えば、他方の吸収体４’の所定の場所に排尿する習慣となっている場合、他方の吸収体４’で吸収された尿が、防漏シート９を越えて一方の吸収体４へ移行することができない。その為、汚れていない側の吸収体は十分な吸収性を発揮でき、シーツ１Ａの前後を入れ替えたりして、汚れていない側の吸収体をペットが排尿する場所にくるようにして再使用したとしても、尿が漏れ出し難く、床を汚し難い。このように床を汚し難いので、悪臭が発生し難く、衛生的である。また、このようにシーツ１Ａが再利用可能なので、経済的である。
【００２９】
特に、シーツ１Ａの備える各吸収体４，４’を構成する上層側の集合体４２ｕは、Ｘ方向における分断された側の端部のＺ方向の厚みが薄くなっている。その為、シート１Ａの中央付近に排泄された尿は、表面シート２を通過し防漏シート９によって、更に中央へと導かれることになり、一方の吸収体４若しくは他方の吸収体４´のどちらかに吸収され易くなる。運悪く、排泄された尿が、両方の吸収体４，４’に亘ってしまっても、上述の通り、それぞれの吸収体４，４’間における尿の拡散は、防漏シート９によって遮断されるので、各吸収体４，４’の吸収量は十分に確保できる。
【００３０】
また、シーツ１Ａの備える防漏シート９は、着色されていることが好ましい。防漏シート９が着色されていると、シーツ１Ａの表裏の区別がし易く、使用感が向上するとの効果を奏する。
【００３１】
次に、シーツ１Ａをペット用トイレ１０１に収容したペット用トイレシステム１００Ａについて説明する。
ペット用トイレシステム１００Ａは、図４に示すように、トイレ本体１０２、及びトイレ本体１０２内を上層部分Ａと下層部分Ｂとに区画する仕切部材１０３を備え、上層部分Ａに便床を形成する粒状物１０９を収容するペット用トイレ１０１と、ペット用トイレ１０１に収容されて用いられるペット用シーツ１Ａとを有している。言い換えれば、ペット用シーツ１Ａは、トイレ本体１０２、及びトイレ本体１０２内を上層部分Ａと下層部分Ｂとに区画する仕切部材１０３を備え、上層部分Ａに便床を形成する粒状物１０９を収容するペット用トイレ１０１に収容されて用いられる。
【００３２】
ペット用トイレ１０１は、図４に示すように、上部開口を有する外容器１０４と、外容器１０４内に着脱自在に装着される内容器１０５とを備えている。外容器１０４及び内容器１０５は、何れも平面視して略矩形形状（即ち上部開口及び底部１４１ｃが略矩形形状）であり、その四辺の周縁部が全て起立した形態を有するトレー状のものである。外容部１０４の側壁部１４１ａ，１４１ｂ及び底部１４１ｃによって囲まれた内側は、内容器１０５の収容部及びペット用シーツ１Ａ，１Ａ’の収容部となり、内容器１０５の側壁部１５１ａ，１５１ｂ及び底部１５１ｃによって囲まれた内側は、粒状物１０９の収容部となる。ここで、外容器１０４の側壁部１４１ａ及び内容器１０５の側壁部１５１ａは、トイレ本体１０２（外容器１０４、内容器１０５）の長手方向に延びる側壁部であり、外容器１０４の側壁部１４１ｂ及び内容器１０５の側壁部１５１ｂは、該長手方向と直交する方向（幅方向）に延びる側壁部である。尚、トイレ本体１０２（外容器１０４、内容器１０５、後述する収容部１０６）の長手方向は、各吸収体４，４’の短手方向（Ｘ方向）と同じ方向であり、シーツ１Ａの長手方向と同じ方向でもある。また、トイレ本体１０２（外容器１０４、内容器１０５）の幅方向（短手方向）は、各吸収体４，４’の長手方向（Ｙ方向）と同じ方向であり、シーツ１Ａの短手方向（幅方向）と同じ方向でもある。
【００３３】
外容器１０４は、図４に示すように、側壁部１４１ａ，１４１ｂの上端部にフランジ部１４２を有している。また、内容器１０５は、側壁部１５１ａ，１５１ｂの上端部にフランジ部１５２を有している。内容器１０５のフランジ部１５２は、図８に示すように、外容器１０４のフランジ部１４２を覆い、内容器１０５のフランジ部１５２の内面と外容器１０４のフランジ部１４２の外面とが嵌合するように形成されている。
【００３４】
内容器１０５の底部１５１ｃは、図４に示すように、液通過構造を有する仕切部材１０３を含んで構成されている。即ち、仕切部材１０３は内容器１０５の一部である。仕切部材１０３は、平面視してＸ方向に長い略矩形形状の板状部材からなり、該仕切部材１０３を厚み方向（Ｚ方向）に貫通する、平面視して略矩形形状の貫通孔１３１を多数有している。多数の貫通孔１３１は、仕切部材１０３のＸ方向及びＹ方向それぞれに所定間隔を置いて配置されている。貫通孔１３１は、上層部分Ａ（内容器５内）の液を下層部分Ｂに通過させるための通液孔として機能する。
【００３５】
外容器１０４及び内容器１０５の大きさは特に制限されない。外容器１０４は、例えばＸ方向の長さが３００ｍｍ〜６００ｍｍ程度、Ｙ方向の長さが２００ｍｍ〜４００ｍｍ程度の平面矩形形状を有し、側壁部１４１ａ，１４１ｂの高さが７０ｍｍ〜２００ｍｍ程度である。また内容器１０５は、例えばＸ方向の長さが２９５ｍｍ〜５９５ｍｍ程度、Ｙ方向の長さが１９５ｍｍ〜３９５ｍｍ程度の平面矩形形状を有し、側壁部１５１ａ，１５１ｂの高さが３０ｍｍ〜１７０ｍｍ程度である。尚、ここに示した外容器１０４及び内容器１０５の各部の寸法は、内寸法（容器１０４，１０５の内側の寸法）である。
【００３６】
ペット用トイレ１０１は、図６に示すように、外容器１０４の上方から内容器１０５をはめ込んだ状態において、内容器１０５の底部１５１ｃを構成する仕切部材１０３と外容器１０４の底部１４１ｃとの間の下層部分Ｂに、ペット用シーツ１Ａの収容空間Ｓが形成されるよう構成されている。収容空間Ｓには、ペット用シーツ１Ａが配置されるようになる。収用空間Ｓは、ペット用シーツ１Ａが尿を吸収して膨らんでも仕切部材１０３に接触せず且つ使用期間内に尿が溢れることがないような、十分な尿吸収容量が確保できるように、適宜設計されることが望ましい。
【００３７】
収容部１０６は、図４に示すように、平面視して略矩形形状（即ち上部開口及び底部１６１ｃが略矩形形状）であり、その四辺の周縁部が全て起立した形態を有するトレー状のものである。収容部１０６の側壁部１６１ａ，１６１ｂ及び底部１６１ｃによって囲まれた内側が、ペット用シーツ１Ａの収容部となる。収容部１０６の側壁部１６１ａ，１６１ｂは、その高さが収容部１０６に収容されるペット用シーツ１Ａの厚みを超え且つその上端が仕切部材１０３に接触しないように形成されている。
【００３８】
収容部１０６は、図４に示すように、外容器１０４の底部１４１ｃの上面に載置される。収容部１０６は、トイレ本体１０２から引き出し可能に形成されている。収容部１０６の引き出し方向は、Ｘ方向であり、外容器１０４（トイレ本体１０２）の長手方向と平行である。外容器１０４のＹ方向に沿って延びる、相対向する一対の側壁部１４１ｂ，１４１ｂのうちの一方には、下層部分Ｂに相当する部分に、収容部１０６を出し入れする際に利用する開口部１４２が形成されている。開口部１４２の形状及び大きさは、収容部１０６の引き出し方向Ｘと直交する方向の断面形状及び大きさと略同じになされており、開口部１４２から収容部１０６を引き出し或いは挿入することができるように形成されている。収容部１０６の底部１６１ｃは、Ｙ方向の長さがペット用シーツ１Ａの有する各吸収体４，４’のＹ方向の長さと略一致しており、Ｘ方向の長さがペット用シーツ１Ａの有するＸ方向に並置された２個の吸収体４，４’の合計長さと略一致している。
【００３９】
ペット用シーツ１Ａは、図４に示すように、ペット用トイレ１０１の下層部分Ｂに配される収容部１０６に、その長手方向（Ｘ方向）を収容部１０６の長手方向に一致させ、１枚収容される。具体的には、ペット用シーツ１Ａは、収容部１０６の底部１６１ｃ上に、図５に示すように、ペット用シーツ１Ａの有する並置された２個の吸収体４，４’のＸ方向を一致させてセットされる。上述したように、収容部１０６の底部１６１ｃは、Ｙ方向の長さが各吸収体４，４’のＹ方向の長さと略一致しており、Ｘ方向の長さがＸ方向に並置された２個の吸収体４，４’の合計長さと略一致している。その為、上述したように収容部１０６にペット用シーツ１Ａの１枚を収容すると、図５に示すように、ペット用シーツ１Ａの両サイドフラップ５，５が側壁部１６１ｂに沿って上方に折り曲げられ、ペット用シーツ１ＡのＹ方向の両端側のフラップが側壁部１６１ａに沿って上方に折り曲げられるようになる。
【００４０】
ペット用トイレ１０１は、図４，図６に示すように、仕切部材１０３に、尿を誘導する尿誘導部材１０７が形成されている。尿誘導部材１０７は、ペット用シーツ１Ａの備えるＸ方向に並置された２個の吸収体４，４’の何れかに尿を誘導するため、防漏シート９に沿って延在して設けられている。言い換えれば、ペット用シーツ１Ａの備える防漏シート９の上方に位置する仕切部材１０３に、ペット用シーツ１Ａの備えるＸ方向に並置された２個の吸収体４，４’の何れかに尿を誘導する尿誘導部材１０７が該防漏シート９に沿って延在して設けられている。ここで、防漏シート９は、Ｙ方向に平行に形成されている。尿誘導部材１０７は、ペット用トイレシステム１００Ａにおいては、図４に示すように、仕切部材１０３（内容器１０５の底部１５１ｃ）の上方（上層部分Ａ）に設けられている。
【００４１】
ペット用トイレシステム１００Ａの尿誘導部材１０７は、図４，図６に示すように、仕切部材１０３の上面（上層部分Ａ側の面）に取り付けられており、隣接するシーツ１Ａ，１Ａ’の境界の上方（真上）に位置し、内容器１０５内のＸ方向の全長に亘って、即ち、内容器１０５の対向する一対の側壁部１５１ａ，１５１ａ間に亘って連続している。尿誘導部材１０７は貫通孔１３１を有さず液通過構造を有していない。
【００４２】
尿誘導部材１０７は、図６に示すように、ペット用シーツ１Ａの備える防漏シート９の上方（真上）に位置する頂部からシーツ１Ａの備える並置された２個の吸収体４，４’に向けて斜め下方に延びる斜面１７１，１７１を有している。具体的には、尿誘導部材１０７は、トイレ本体１０２の長手方向に沿った断面視において、略二等辺三角形形状に形成されており、その二等辺三角形形状部分の頂部が、防漏シート９の真上に位置し、該二等辺三角形形状部分の下部が仕切部材１０３の上面と接合されている。２つの斜面１７１，１７１のなす角度αは、２個の吸収体４，４’の何れかに尿を誘導する観点から、２８°以上１７６°以下であることが好ましく、４５°以上１６０°以下であることが更に好ましい。
【００４３】
ペット用トイレ１０１の構成部材（仕切部材１０３、外容器１０４、内容器１０５、収容部１０６、尿誘導部材１０７等）の材質は、耐食性を有するものであれば特に制限はない。軽量で 取り扱い易く、成形性が良い等の点から、例えば、ポリプロピレン、ポリエチレン、ポリエチレンテレフタレート、塩化ビニル、アクリロニトリル−ブタジエン−スチレン共重合体（ＡＢＳ）等の汎用の合成樹脂で一体成形されたものが好ましい。また、ペット用トイレ１０１の構成部材は、表面に撥水加工や抗菌加工が施されたものを用いることがより好ましい。
【００４４】
上層部分Ａに収容される粒状物１０９としては、当該技術分野において猫砂やトイレ砂等として用いられている粒状物を特に制限無く用いることができる。粒状物１０９は、好ましくは、植物由来の素材の粉砕物、合成樹脂、粘土鉱物等の成分の１種以上を含んで構成され、成形された成形物が挙げられる。粒状物１０９の形状は、図８に示す如き円筒形状に限定されず、例えば球状、立方体、直方体等とすることができる。粒状物１０９としては、本出願人の先の出願に係る特許第３７８８６２５号公報に記載の排泄物処理剤を用いることもできる。
【００４５】
ペット用トイレシステム１００Ａは、図６に示すように、仕切部材１０３の上面全面に適量の粒状物１０９を敷設して上層部分Ａに粒状物１０９の層を形成すると共に、下層部分Ｂの収容部１０６にシーツ１Ａを収容して使用する。上層部分Ａに収容された粒状物１０９は、ペットが排泄する尿を素早く通過させ、この通過した尿は、液通過構造を有する仕切部材１０３の貫通孔１３１を介して下層部分Ｂのペット用シーツ１Ａ上に落下し、ペット用シーツ１Ａに吸収される。
【００４６】
上述したように、犬や猫等のペットは、いつも決まった場所で排泄する傾向があり、例えば、ペット用シーツ１Ａの備える２個の吸収体４，４’の内の一方の吸収体４の所定の場所に対応する仕切部材１０３の上面全面に配された粒状物１０９の位置に排尿する習慣となっている場合、粒状物１０９は、ペットが排泄する尿を素早く通過させ、この通過した尿は、液通過構造を有する仕切部材１０３の貫通孔１３１を介して下層部分Ｂのシーツ１Ａの一方の吸収体４上に落下し吸収される。シーツ１Ａにおいては２個の吸収体４，４’が防漏シート９で隔てられているので、一方の吸収体４で吸収された尿は、防漏シート９を越えて他方の吸収体４’へ移行することができない。また、例えば、他方の吸収体４’の所定の場所に対応する仕切部材１０３の上面全面に配された粒状物１０９の位置に排尿する習慣となっている場合、粒状物１０９は、ペットが排泄する尿を素早く通過させ、この通過した尿は、液通過構造を有する仕切部材１０３の貫通孔１３１を介して下層部分Ｂのシーツ１Ａの他方の吸収体４’上に落下し吸収される。他方の吸収体４’で吸収された尿は、防漏シート９を越えて一方の吸収体４へ移行することができない。その為、汚れていない側の吸収体は十分な吸収性を発揮できる。従って、収容部１０６をトイレ本体１０２から引き出し、シーツ１Ａの前後を入れ替えたりして、汚れていない側の吸収体をペットが排尿する場所にくるようにして再配置してシーツ１Ａを再利用できるので、経済的である。また、このように、汚れていない側の吸収体は十分な吸収性を発揮でき、シーツ１Ａを再利用したとしても、尿が漏れ出し難く、収容部１０６を汚し難い。このように収容部１０６を汚し難いので、悪臭が発生し難く、衛生的である。
【００４７】
特に、ペット用トイレシステム１００Ａは、図６に示すように、シーツ１Ａの備える並置された２個の吸収体４，４’の何れかに尿を誘導する尿誘導部材１０７が設けられている。その為、収容部１０６上に配されたシーツ１Ａの備える並置された２個の吸収体４，４’の内の一方が更に汚れ易く、他方が更に汚れ難くなっており、汚れていない側の吸収体を用いてシーツ１Ａは再利用でき、非常に経済的であり、非常に衛生的である。
【００４８】
また、ペット用トイレシステム１００Ａにおいては、図５に示すように、収容部１０６に収容されたペット用シーツ１Ａの両サイドフラップ５，５が側壁部１６１ｂに沿って上方に折り曲げられ、ペット用シーツ１ＡのＹ方向の両端側のフラップが側壁部１６１ａに沿って上方に折り曲げられるようになる。その為、収容部１０６が更に汚れ難くなっている。
【００４９】
以上、本発明をその好ましい実施形態に基づき説明したが、本発明は上述した実施形態に制限されない。例えば、第１実施形態のペット用シーツ１Ａ以外にも、後述する第２〜第６実施形態のペット用シーツ１Ｂ〜１Ｆであってもよい。第２〜第６実施形態のペット用シーツ１Ｂ〜１Ｆについては、第１実施形態のペット用シーツ１Ａと異なる点について説明する。特に説明しない点は、ペット用シーツ１Ａと同様であり、ペット用シーツ１Ａの説明が適宜適用される。また、ペット用シーツ１Ｂ〜１Ｆの効果については、ペット用シーツ１Ａの効果と異なる点について説明する。特に説明しない点は、ペット用シーツ１Ａの効果と同様であり、ペット用シーツ１Ａの効果の説明が適宜適用される。
【００５０】
第２実施形態のペット用シーツ１Ｂ（以下、「シーツ１Ｂ」とも言う。）に関して説明すると、シーツ１Ｂの防漏シート９は、シーツ１Ａの防漏シート９と配置の位置が異なっている。
具体的には、シーツ１Ｂの防漏シート９は、図７，図８に示すように、２個の吸収体４，４’の間に配され、Ｘ方向の一端９１が２個の吸収体４，４’の内の一方の吸収体４上に配され固定され、Ｘ方向の他端９２が２個の吸収体４，４’の内の他方の吸収体４’下に配され固定されて、２個の吸収体４，４’を隔てている。吸収体下とは、裏面シートと吸収体の間である。シーツ１Ｂの防漏シート９について詳述すると、防漏シート９のＸ方向の一端９１が、２個の吸収体４，４’の内の一方の吸収体４と表面シート２との間に配され固定されている。そして、防漏シート９のＸ方向の他端９２が、２個の吸収体４，４’の内の他方の吸収体４’と裏面シート３との間に配され固定されている。このように防漏シート９が配されていることによって、２個の吸収体４，４’が隔てられている。
【００５１】
シーツ１Ｂの２個の吸収体４，４’どうしの間隔は、分断された側の吸収性コア４１の端部がコアラップシート４４で被覆されていない図３に示すような２個の吸収体４，４’を使用する場合に、分断された側の吸収性コア４１の端部から高吸収性ポリマー４３が脱落しない観点から、１０ｍｍ以下であることが好ましく、略０ｍｍであることが更に好ましい。ここで、２個の吸収体４，４’どうしの間隔が略０ｍｍであるとは、ペット用シーツ１Ａの有する並置された２個の吸収体４，４’の長手方向（Ｙ方向）を一致させ、図７に示すように、一方の吸収体４の短手方向（Ｘ方向）の一端と、他方の吸収体４’の短手方向（Ｘ方向）の一端とが、防漏シート９を介して隣接していることを意味する。
【００５２】
以上の構成を有するシーツ１Ｂは、図７，図８に示すように、防漏シート９のＸ方向の一端９１が、２個の吸収体４，４’の内の一方の吸収体４上に配され固定され、防漏シート９のＸ方向の他端９２が、他方の吸収体４’下に配され固定されて、２個の吸収体４，４’を隔てている。その為、第２実施形態のシーツ１Ｂを使用すると、使用する材料、具体的には、表面シート２や裏面シート３のＸ方向の大きさを必要以上に大きくする必要がないので、経済性に優れるとともに、１枚の吸収体４をＸ方向に２つに分断された場合には、切り口からの吸収部材のシーツ表面への漏出を防ぐことができる。
【００５３】
次に、第３実施形態のペット用シーツ１Ｃ（以下、「シーツ１Ｃ」とも言う。）に関して説明すると、シーツ１Ｃの防漏シート９は、シーツ１Ａの防漏シート９と配置の位置が異なっている。
具体的には、シーツ１Ｃの防漏シート９は、図９に示すように、２個の吸収体４，４’の間に配され、Ｘ方向の一端９１が２個の吸収体４，４’の内の一方の吸収体４上に配され固定され、Ｘ方向の他端９２が該一方の吸収体４下に配され固定されて、該一方の吸収体４のＸ方向の一端部を囲んでおり、２個の吸収体４，４’を隔てている。シーツ１Ｃの防漏シート９について詳述すると、防漏シート９のＸ方向の一端９１が、２個の吸収体４，４’の内の一方の吸収体４と表面シート２との間に配され固定されている。そして、防漏シート９のＸ方向の他端９２が、該一方の吸収体４’と裏面シート３との間に配され固定されている。このように、シーツ１Ｃの防漏シート９は、該一方の吸収体４のＸ方向の一端部を囲むように折り返されており、防漏シート９が配されていることによって、２個の吸収体４，４’が隔てられている。
【００５４】
以上の構成を有するシーツ１Ｃは、図９に示すように、防漏シート９によって、２個の吸収体４，４’の内の一方の吸収体４のＸ方向の一端部が囲まれて、２個の吸収体４，４’を隔てている。その為、第３実施形態のシーツ１Ｃを使用すると、使用する材料、具体的には、表面シート２や裏面シート３のＸ方向の大きさを必要以上に大きくする必要がないので、経済性に優れる。
【００５５】
上述した第１〜第３実施形態のペット用シーツ１Ａ〜１Ｃに関しては、Ｘ方向の両端側それぞれにおいて、表面シート延出部分２１と裏面シート延出部分３１とを接合してなるサイドフラップ５が、Ｘ方向外方に延出している形態であるが、Ｘ方向の両端の形状が、後述する第４〜第６実施形態のペット用シーツ１Ｄ〜１Ｆのような形態であってもよい。後述する第４〜第６実施形態のペット用シーツ１Ｄ〜１Ｆにおいては、図１０（ａ），（ｂ），（ｃ）に示すように、少なくとも裏面シート３は、Ｘ方向に並置された２個の吸収体４，４’より大きく、並置された２個の吸収体４，４’の周囲から延出している。即ち、裏面シート３は、シーツ１Ａの長手方向（Ｘ方向）においては、並置された２個の吸収体４，４’の両端それぞれから延出する裏面シート延出部分３１，３１を有し、シーツ１Ａの短手方向（Ｙ方向）においては、並置された２個の吸収体４，４’の両端それぞれから延出する短手側裏面シート延出部分３３を有している。そして各裏面シート延出部分３１，３１が、吸収体４の上面側に巻き上げられている。このように裏面シート延出部分３１が吸収体４の上面側に巻き上げられているので、シーツ１Ｄ〜１Ｆの長手方向（Ｘ方向）の両端それぞれからペットの排泄した尿が更に漏れ難くなっている。尚、シーツ１Ｄ〜１Ｆの短手方向（Ｙ方向）の両端においても、短手側裏面シート延出部分３３が吸収体４の上面側に巻き上げられていてもよい。以下、第４〜第６実施形態のペット用シーツ１Ｄ〜１Ｆについて、詳述する。
【００５６】
第４実施形態のペット用シーツ１Ｄ（以下、「シーツ１Ｄ」とも言う。）に関して説明する。
シーツ１Ｄの表面シート２は、Ｘ方向に並置された２個の吸収体４，４’より大きく、シーツ１Ｄの長手方向（Ｘ方向）においては、並置された２個の吸収体４，４’の両端まで延在する一対の表面シート端部２２，２２を有し、シーツ１Ｄの短手方向（Ｙ方向）においては、並置された２個の吸収体４，４’の両端それぞれから延出する短手側表面シート延出部分２３，２３を有している。そして、シーツ１Ｄの長手方向（Ｘ方向）の両端側においては、図１０（ａ）に示すように、裏面シート延出部分３１が、吸収体４の上面側に巻き上げられて、表面シート端部２２上に配され固定されている。具体的には、シーツ１Ｄの長手方向（Ｘ方向）の両端側それぞれにおいては、裏面シート延出部分３１が、吸収体４の上面側に巻き上げられて、表面シート端部２２上に配され、表面シート端部２２と裏面シート延出部分３１が、ホットメルト接着剤等の接合手段により接合されて、裏面シート巻き上げ部６を形成している。
【００５７】
次に、第５実施形態のペット用シーツ１Ｅ（以下、「シーツ１Ｅ」とも言う。）に関して説明する。
シーツ１Ｅの表面シート２は、Ｘ方向に並置された２個の吸収体４，４’より大きく、シーツ１Ｅの長手方向（Ｘ方向）においては、並置された２個の吸収体４，４’の両端まで延在する一対の表面シート端部２２，２２を有し、シーツ１Ｅの短手方向（Ｙ方向）においては、並置された２個の吸収体４，４’の両端それぞれから延出する短手側表面シート延出部分２３，２３を有している。そして、シーツ１Ｅの長手方向（Ｘ方向）の両端側においては、図１０（ｂ）に示すように、裏面シート延出部分３１が、吸収体４の上面側に巻き上げられて、各吸収体４，４’と各表面シート端部２２との間に配され固定されている。具体的には、シーツ１Ｅの長手方向（Ｘ方向）の両端側それぞれにおいては、裏面シート延出部分３１が、吸収体４の上面側に巻き上げられて、吸収体４と表面シート他端部２２との間に配され、表面シート他端部２２と裏面シート延出部分３１が、ホットメルト接着剤等の接合手段により接合されて、裏面シート巻き上げ部６を形成している。
【００５８】
次に、第６実施形態のペット用シーツ１Ｆ（以下、「シーツ１Ｆ」とも言う。）に関して説明する。
シーツ１Ｆの表面シート２は、Ｘ方向に並置された２個の吸収体４，４’より大きく、当初、並置された２個の吸収体４，４’の周囲から延出しており、シーツ１Ｆの長手方向（Ｘ方向）においては、並置された２個の吸収体４，４’の両端から延出する一対の表面シート延出部分２４，２４を有し、シーツ１Ｆの短手方向（Ｙ方向）においては、並置された２個の吸収体４，４’の両端それぞれから延出する短手側表面シート延出部分２３，２３を有している。そして、シーツ１Ｆの長手方向（Ｘ方向）の両端側においては、図１０（ｃ）に示すように、裏面シート延出部分３１と表面シート延出部分２４とが接合されている。接合された表面シート延出部分２４及び裏面シート延出部分３１は、吸収体４の上面側に巻き上げられて、表面シート２上に配され固定されている。具体的には、シーツ１Ｆの長手方向（Ｘ方向）の両端側においては、裏面シート延出部分３１と表面シート延出部分２４とが、ホットメルト接着剤等の接合手段により接合されて、サイドフラップ７，７を形成している。このように形成された各サイドフラップ７が、吸収体４の上面側に巻き上げられて、表面シート２上に配され固定されている。尚、サイドフラップ７と表面シート２とは、ホットメルト接着剤等の接合手段により接合されている。
【００５９】
シーツ１Ｂ〜１Ｆは、シーツ１Ａと同様に、直接床に置いて使用したり、シーツ１Ａと同様に、シーツ１Ｂ〜１Ｆをペット用トイレ１０１に収容したペット用トイレシステムとして使用される。尚、上述のシーツ１Ａ乃至シーツ１Ｆにおける各構成要件は、本発明の趣旨を損なわない範囲で、適宜組み合わせて実施できる。
【００６０】
また、本発明は上述した実施形態に制限されず、上述のシーツ１Ａが有する吸収体４に関しては、図３に示すように、各吸収体４，４’を構成する吸収性コア４１の上層側の集合体４２ｕのＸ方向の分断された側の端部が、コアラップシート４４（下層コアラップシート４４ｄ）で被覆された側の端部のＺ方向の厚みに比べて、Ｚ方向の厚みが薄くなっている形態であるが、図１１に示すように、吸収体４を構成する上層側の集合体４２ｕのＺ方向の厚みが均一なフラットな形態であってもよい。
【００６１】
また、上述のシーツ１Ａ〜１Ｆの備える２個の吸収体４，４’は、Ｘ方向に並置されているが、Ｙ方向に並置されていてもよい。
【００６２】
また、シーツ１Ａを収容したペット用トイレシステム１００Ａの備えるペット用トイレ１０１は、図４，図６に示すように、上層部分Ａに便床を形成する粒状物１０９を収容する所謂猫用のペット用トイレであるが、粒状物１０９を収容しない所謂犬用のペット用トイレであってもよい。犬用のペット用トイレとしては、例えば、シーツ１Ａを収容するトレー状の収容部上に、メッシュ状の仕切部材を備えたペット用トイレが挙げられる。メッシュ状の仕切部材は、ペット用シーツからの排泄後の液戻りの防止、及びいたずらによるペット用シーツの破損の防止の役割を果たす部材である。該仕切部材には、シーツ１Ａの有する並置された２個の吸収体４，４’の何れかに尿を誘導する尿誘導部材が、防漏シート９に沿って延在して設けられていることが好ましい。
【００６３】
上述した実施形態に関し、さらに以下のペット用シーツを開示する。
【００６４】
＜１＞
液透過性の表面シート、液不透過性の裏面シート、両シート間に配された矩形状の２個の吸収体を備えたペット用シーツであって、
２個の前記吸収体は並置されており、
２個の前記吸収体の間に液不透過性の防漏シートが配されており、
前記防漏シートは、該防漏シートの一端が２個の前記吸収体の内の一方の該吸収体上に配され固定され、該防漏シートの他端が前記裏面シートに接して固定されて、２個の該吸収体を隔てているペット用シーツ。
【００６５】
＜２＞
前記防漏シートは、該防漏シートの他端が２個の前記吸収体の間に配されている前記＜１＞に記載のペット用シーツ。
＜３＞
前記防漏シートは、該防漏シートの他端が２個の前記吸収体の内の他方の該吸収体下に配されている＜１＞に記載のペット用シーツ。
＜４＞
前記裏面シートは、並置された２個の吸収体の周囲から延出しており、前記ペット用シーツの長手方向においては、該裏面シートにおける該並置された２個の吸収体の両端から延出した裏面シート延出部分を有しており、
前記表面シートは、並置された２個の吸収体の周囲から延出しており、前記ペット用シーツの長手方向においては、該表面シートにおける該並置された２個の吸収体の両端から延出した表面シート延出部分を有しており、
前記ペット用シーツの長手方向の両端側においては、前記表面シート延出部分と前記裏面シート延出部分とは接合されて、該長手方向外方に延出している前記＜１＞〜＜３＞の何れか１に記載のペット用シーツ。
＜５＞
少なくとも前記裏面シートは、並置された２個の吸収体の周囲から延出しており、前記ペット用シーツの長手方向においては、該裏面シートにおける該並置された２個の吸収体の両端から延出した裏面シート延出部分が、該吸収体の上面側に巻き上げられている前記＜１＞〜＜３＞の何れか１に記載のペット用シーツ。
＜６＞
前記表面シートは、前記ペット用シーツの長手方向においては、該並置された２個の吸収体の両端まで延在する一対の表面シート端部を有しており、
前記ペット用シーツの長手方向の両端側においては、前記裏面シート延出部分が、前記吸収体の上面側に巻き上げられて、前記表面シート端部上に配され固定されている前記＜５＞に記載のペット用シーツ。
＜７＞
前記表面シートは、前記ペット用シーツの長手方向においては、該並置された２個の吸収体の両端まで延在する一対の表面シート端部を有しており、
前記ペット用シーツの長手方向の両端側においては、前記裏面シート延出部分が、前記吸収体の上面側に巻き上げられて、該吸収体と前記表面シート端部との間に配され固定されている前記＜５＞に記載のペット用シーツ。
＜８＞
前記表面シートは、並置された２個の吸収体の周囲から延出しており、前記ペット用シーツの長手方向においては、該表面シートにおける該並置された２個の吸収体の両端から延出した表面シート延出部分を有しており、
前記ペット用シーツの長手方向の両端側においては、前記表面シート延出部分と前記裏面シート延出部分とは接合されており、接合された該表面シート延出部分及び該裏面シート延出部分は、前記吸収体の上面側に巻き上げられて、前記表面シート上に配され固定されている前記＜５＞に記載のペット用シーツ。
【００６６】
＜９＞
前記防漏シートは、着色されている前記＜１＞〜＜８＞の何れか１に記載のペット用シーツ。
＜１０＞
トイレ本体、及び該トイレ本体内を上層部分と下層部分とに区画する仕切部材を備え、該上層部分に便床を形成する粒状物を収容するペット用トイレに収容されて用いられる＜１＞〜＜９＞の何れか１に記載のペット用シーツであって、
前記ペット用シーツは、前記ペット用トイレの前記下層部分に収容されるペット用シーツ。
＜１１＞
前記シーツは、平面視して、短手方向（Ｘ方向）に長い長方形状に形成され、短手方向（Ｘ方向）の長さが３００ｍｍ〜６００ｍｍ、長手方向（Ｙ方向）の長さが２００ｍｍ〜５００ｍｍ、前記シーツの厚み方向（Ｚ方向）の厚みは、１．０ｍｍ〜１５ｍｍである前記＜１＞〜＜１０＞の何れか１に記載のペット用シーツ。
＜１２＞
前記表面シートは、低坪量の液透過性の不織布であり、その坪量が、５０ｇ／ｍ２以下好ましくは、３０ｇ／ｍ２以下である前記＜１＞〜＜１１＞の何れか１に記載のペット用シーツ。
＜１３＞
前記裏面シートは、ポリエチレン製等のフィルムであり、その坪量が、４０ｇ／ｍ２以下好ましくは、２５ｇ／ｍ２以下である前記＜１＞〜＜１１＞の何れか１に記載のペット用シーツ。
＜１４＞
２個の前記吸収体は、短手方向（Ｘ方向）に並置された状態で、前記表面シートと前記裏面シートとの間に配されており、
前記吸収体は、長手方向（Ｙ方向）に長い矩形状に形成されており、
前記吸収体は、長手方向（Ｙ方向）の長さが１２０ｍｍ〜４３０ｍｍ、短手方向（Ｘ方向）の長さが８０ｍｍ〜２８０ｍｍ、該吸収体の厚み方向（Ｚ方向）の厚みは、０．５ｍｍ〜１０ｍｍで、前記シーツの備える２個の前記吸収体どうしの間隔は、１０ｍｍ以上５０ｍｍ以下好ましくは、２０ｍｍ以上３０ｍｍ以下である前記＜１＞〜＜１３＞の何れか１に記載のペット用シート。
＜１５＞
２個の前記吸収体は、高吸収性ポリマー、フラッフパルプからなる吸収性コアを、紙又は不織布からなるコアラップシートで包んだものであり、
前記フラッフパルプの集合体内に前記高吸収性ポリマーが分散配置された前記吸収性コアの全体を、前記コアラップシートで覆って形成されており、
前記高吸収性ポリマーは、フラッフパルプ中に混合された状態で用いられるか、前記裏面シート側に散布されたり、層状にして厚み方向中央に挿入されてもよく、
あるいは、２個の前記吸収体は、フラッフパルプからなる吸収性コアを、紙又は不織布からなるコアラップシートで包んだものであり、高吸収性ポリマーを含有しない前記＜１＞〜＜１４＞の何れか１に記載のペット用シーツ。
＜１６＞
２個の前記吸収体は、短手方向（Ｘ方向）に長い矩形状の吸収性コアをコアラップシートで包んで形成された１個の吸収体を、短手方向（Ｘ方向）中央にてカットして分断して２個の吸収体を形成しており、
前記吸収性コアは、フラッフパルプの上層側の集合体と該フラッフパルプの下層側の集合体との間に、高吸収性ポリマーを散布して積層して形成されており、
前記上層側の集合体の坪量の方が、前記下層側の集合体の坪量よりも低く形成されている前記＜１＞〜＜１５＞の何れか１に記載のペット用シーツ。
＜１７＞
２個の前記吸収体を構成する吸収性コアの上層側の集合体は、短手方向（Ｘ方向）における分断された側の端部が、押圧等され、短手方向（Ｘ方向）におけるコアラップシート（下層コアラップシート）で被覆された側の端部の厚み方向（Ｚ方向）の厚みに比べて、厚み方向（Ｚ方向）の厚みが薄くなっており、短手方向（Ｘ方向）に並置された上層側の集合体それぞれの互いに対向するように配された長手方向（Ｙ方向）に沿う側部全域に亘って、上層側の集合体の短手方向（Ｘ方向）の内方端部が、短手方向（Ｘ方向）の内方に向かって、並置された前記上層側の集合体の中央に向かって、漸次薄くなっている前記＜１＞〜＜１６＞の何れか１に記載のペット用シーツ。
＜１８＞
前記シーツの前記防漏シートは、長手方向（Ｙ方向）に長い矩形状のシートであり、２個の前記吸収体の長手方向（Ｙ方向）の長さよりも長く、前記表面シート及び前記裏面シートそれぞれの長手方向（Ｙ方向）の両端間に亘って、長手方向（Ｙ方向）に平行に帯状に延在しており、
前記防漏シートの短手方向（Ｘ方向）の一端は、前記吸収体上に配される幅が、１０ｍｍ〜５０ｍｍで、好ましくは１５ｍｍ〜３０ｍｍであり、該防漏シートの短手方向（Ｘ方向）の長さ（幅）は、２０ｍｍ〜８０ｍｍに形成され、好ましくは３０ｍｍ〜５０ｍｍに形成されている前記＜１＞〜＜１７＞の何れか１に記載のペット用シーツ。
＜１９＞
前記裏面シートは、前記ペット用シーツの長手方向においては、該裏面シートにおける該並置された２個の吸収体の両端から延出した裏面シート延出部分を有しており、
前記表面シートは、前記ペット用シーツの長手方向においては、該表面シートにおける該並置された２個の吸収体の両端から延出した表面シート延出部分を有しており、
前記表面シートと前記吸収体４との間、前記裏面シートと該吸収体との間は、ホットメルト接着剤等の接合手段により接合されており、
前記シーツの短手方向（Ｘ方向）の両端側それぞれにおいては、前記表面シート延出部分と前記裏面シート延出部分とが、ホットメルト接着剤の接合手段により接合されて、サイドフラップを形成し、該サイドフラップは、短手方向（Ｘ方向）外方に延出しており、
前記表面シート延出部分と前記裏面シート延出部分とを接合してなる前記サイドフラップは、短手方向（Ｘ方向）の幅が、１０ｍｍ以上４０ｍｍ以下に形成され好ましくは、２０ｍｍ以上３０ｍｍ以下に形成され、前記ホットメルト接着剤の塗布は、線状、面状、ドット状、スパイラル状、或いは霧状の何れかである前記＜１＞〜＜１８＞の何れか１に記載のペット用シーツ。
＜２０＞
前記シーツの長手方向（Ｙ方向）の両端側それぞれにおいては、短手側表面シート延出部分と短手側裏面シート延出部分とが、ホットメルト接着剤の接合手段により接合され固定されて、フラップを形成し、
前記短手側表面シート延出部分と前記短手側裏面シート延出部分とを接合してなる各フラップは、長手方向（Ｙ方向）外方に延出しており、長手方向（Ｙ方向）の幅が、１０ｍｍ以上４０ｍｍ以下に形成され好ましくは、２０ｍｍ以上３０ｍｍ以下に形成されている前記＜１＞〜＜１９＞の何れか１に記載のペット用シーツ。
＜２１＞
犬用である前記＜１＞〜＜２０＞の何れか１に記載のペット用シーツ。
＜２２＞
猫用である前記＜１＞〜＜２０＞の何れか１に記載のペット用シート。
【００６７】
＜２３＞
トイレ本体、及び該トイレ本体内を上層部分と下層部分とに区画する仕切部材を備え、該上層部分に便床を形成する粒状物を収容するペット用トイレと、該ペット用トイレに収容されて用いられる前記＜１＞〜＜２２＞の何れか１に記載のペット用シーツとを有するペット用トイレシステムであって、
前記ペット用シーツは、前記ペット用トイレの前記下層部分に収容されているペット用トイレシステム。
＜２４＞
前記トイレ本体を上層部分と下層部分とに区画する仕切部材には尿誘導部材が形成され、該尿誘導部材は、前記並置された２個の吸収体の何れか１に尿を誘導するため、隣り合う２個の吸収体の間に配置された前記防漏シートに沿って延在して設けられている前記＜２３＞に記載のペット用トイレシステム。
＜２５＞
前記ペット用トイレは内容器を有し、
前記ペット用トイレシステムの前記尿誘導部材は、前記仕切部材の上面（上層部分側の面）に取り付けられており、隣接する２個の前記シーツの境界の上方（真上）に位置し、前記内容器内の短手方向（Ｘ方向）の全長に亘って、該内容器の対向する一対の側壁部間に亘って連続しており、
前記尿誘導部材は貫通孔を有さず液通過構造を有していない前記＜２４＞に記載のペット用トイレシステム。
＜２６＞
前記尿誘導部材は、前記シーツの備える防漏シートの上方（真上）に位置する頂部から該シーツの備える並置された２個の前記吸収体に向けて斜め下方に延びる２つの斜面を有し、
前記尿誘導部材は、前記トイレ本体の長手方向に沿った断面視において、略二等辺三角形形状に形成されており、その二等辺三角形形状部分の頂部が、前記防漏シートの真上に位置し、該二等辺三角形形状部分の下部が前記仕切部材の上面と接合されて、前記２つの斜面のなす角度αは、２８°以上１７６°以下であり、好ましくは４５°以上１６０°以下である前記＜２４＞又は＜２５＞に記載のペット用トイレシステム。
【符号の説明】
【００６８】
１Ａ，１Ｂ、１Ｃ，１Ｄ，１Ｅ，１Ｆ  ペット用シーツ
２  表面シート
２１，２４  表面シート延出部分
２２  表面シート端部
２３  短手側表面シート延出部分
３  裏面シート
３１  裏面シート延出部分
３３  短手側裏面シート延出部分
４  吸収体
４１  吸収性コア
４４  コアラップシート
５，７  サイドフラップ
６  裏面シート巻き上げ部
９  防漏シート
９１  防漏シートの一端
９２  防漏シートの他端
１０１  ペット用トイレ
１０２  トイレ本体
１０３  仕切部材
１０４  外容器
１０５  内容器
１０６  収容部
１０７  尿誘導部材
１０９  粒状物
１００Ａ  ペット用トイレシステム
【図１】
2015204799.tif 000003
【図２】
2015204799.tif 000004
【図３】
2015204799.tif 000005
【図４】
2015204799.tif 000006
【図５】
2015204799.tif 000007
【図６】
2015204799.tif 000008
【図７】
2015204799.tif 000009
【図８】
2015204799.tif 000010
【図９】
2015204799.tif 000011
【図１０】
2015204799.tif 000012
【図１１】
2015204799.tif 000013